(57)【要約】【課題】逆浸透膜型浄水器用のケースにおいて外部からカートリッジと配管やバルブ、制御スイッチ等に不具合が生じていないか目視で容易に確認できるようにすることを課題とする。【解決手段】逆浸透膜型浄水器を構成するカートリッジ、各種バルブ、制御スイッチが収納される逆浸透膜型浄水器ケースにおいて、全面が開放した直方体形状のケース本体と、前記ケース本体の前面開口を塞ぐ大きさを有する透明な板体からなる前面窓と、前記前面窓を挟持し前記ケース本体に横方向または縦方向にスライド可能に保持する前記ケース本体前面に設けられる一対のレールと、前記ケース本体の側面又は背面に設けられる配管を通す開口とから構成する。【選択図】  図２
0003174168.tif 000002
【実用新案登録請求の範囲】
【請求項１】
逆浸透膜型浄水器を構成するカートリッジ、各種バルブ、制御スイッチが収納される逆浸透膜型浄水器ケースであって、
全面が開放した直方体形状のケース本体と、
前記ケース本体の前面開口を塞ぐ大きさを有する透明な板体からなる前面窓と、
前記前面窓を狭持し、前記ケース本体に横方向または縦方向にスライド可能に保持する、前記ケース本体前面に設けられる一対のレールと、
前記ケース本体の側面又は背面に設けられる配管を通す開口と
を有する逆浸透膜型浄水器ケース。
【考案の詳細な説明】
【技術分野】
【０００１】
本考案は逆浸透膜型浄水器のカートリッジ等を収納するケースに関する。
【背景技術】
【０００２】
逆浸透膜を利用した浄水器は、カートリッジ内を逆浸透膜で仕切り、浄化する水を加圧しながら通すことで、イオンや塩類などの微細な不純物までろ過することで、ほぼ純水に近い水を得ることができる。
このような逆浸透膜型の浄水器は、従来、配管を通す孔が設けられたステンレスなどの内部が見えないケースに、逆浸透膜フィルターを内蔵するカートリッジを含む、数本のカートリッジ、これらを接続する配管やバルブ、制御スイッチなどを収納するものであった。
【考案の概要】
【考案が解決しようとする課題】
【０００３】
ところで、逆浸透膜型の浄水器は加圧することで逆浸透膜により水をろ過するものであるので、カートリッジと配管との接続部や、水の開閉を制御するオートシャットバルブや制御スイッチなどに高い圧力がかかるため、これらの部分に接続不良などがあると、漏水などの不具合が生じることとなる。
しかし、従来のようにカートリッジ等を内部が見えないケースに収納すると、不具合が生じたときに、直ぐに発見できず、漏水の影響で内部機器に支障が生じたり、接続不良なままバルブや配管を使い続けることによって破損が生じたりすることがあった。
本考案は、このような問題に鑑みて、逆浸透膜型浄水器用のケースにおいて外部からカートリッジと配管やバルブ、制御スイッチ等に不具合が生じていないか目視で容易に確認できるようにすることを課題とする。
【課題を解決するための手段】
【０００４】
上記課題を解決するために、本考案は次のような構成を有する。
即ち、本考案は、逆浸透膜型浄水器を構成するカートリッジ、各種バルブ、制御スイッチが収納される逆浸透膜型浄水器ケースであって、全面が開放した直方体形状のケース本体と、前記ケース本体の前面開口を塞ぐ大きさを有する透明な板体からなる前面窓と、前記前面窓を挟持し前記ケース本体に横方向または縦方向にスライド可能に保持する前記ケース本体前面に設けられる一対のレールと、前記ケース本体の側面又は背面に設けられる配管を通す開口とを有する逆浸透膜型浄水器ケースである。
【考案の効果】
【０００５】
上記のような構成を有する本考案は、ケース本体前面が透明な前面窓で覆われるので、すべてのカートリッジと配管の接続具合や、各種バルブの状態、制御スイッチの作動状態などを外部から目視して確認することができる。さらに、前面窓はケース本体の前面においてスライドにより開閉できるので、設置した状態での管理を比較的容易に行うことができる。
【図面の簡単な説明】
【０００６】
【図１】実施形態に係る逆浸透膜の斜視図である。
【図２】実施形態に係る逆浸透膜の分解斜視図である。
【図３】逆浸透膜型浄水器の構成を示す模式図である。
【考案を実施するための形態】
【０００７】
以下、本考案の実施の形態について、図面を参照しながら説明する。
図１に実施形態に係る逆浸透膜型浄水器ケースＸの斜視図を示し、図２に逆浸透膜型浄水器ケースＸの分解斜視図を示す。逆浸透膜型浄水器ケースＸはケース本体１０と前面窓２０とから構成される。
【０００８】
ケース本体１０は前後に偏平な前面が開放した直方体状の箱体により形成される。前面窓２０は透明な板体からなり、ケース本体１０前面の開口にほぼ合致する大きさを有している。図２に示すようにケース本体１０の前面の上下には、前面窓２０の上縁及び下縁が嵌るレール１１、１２が設けられ、これらのレール１１、１２間に前面窓２０はスライド可能に挟持される。また、ケース本体１０の一方の側面後方には、配管を通すスリット状の開口１３が設けられている。さらに、ケース本体１０の背面内側には、カートリッジＣを固定する円弧状の弾性部材からなるカートリッジホルダー１４が、カートリッジを４本固定できるように４組設けられている。
【０００９】
以上のような構成を有する逆浸透膜型浄水器ケースＸの使用方法について説明する。図３に逆浸透膜型浄水器ケースＸが用いられる逆浸透膜型浄水器Ｗの構成を模式的に示す。逆浸透膜型浄水器Ｗは水道水などの原水を、セディメントフィルターＳに通して、やや大きな不純物をろ過し、その後、プレカーボンフィルターＰ1に通して、小さな不純物をろ過する。その後、ポンプＰを介して圧力をかけ、逆浸透膜フィルターＲに通し、イオンなどの微細な物質をろ過する。この際、圧力が高くなり過ぎないようにオートシャットバルブＡbが間に設けられる。逆浸透膜フィルターＲにおいて逆浸透膜を通らなかった水は廃棄水としてリストリクタ弁Ｒsを通して排出され、逆浸透膜を通った水は逆支弁Ｒbを通って貯水圧力タンクＴへ流入し、ここに貯められる。なお貯水圧力タンクＴが満水になった場合に動作を止めるために、貯水圧力タンクＴに至る間に、オートシャットバルブＡbとタンクシャットオフスイッチＴsが間に設けられる。タンクシャットオフスイッチＴsは貯水圧力タンクＴの満水状態を検知してポンプＰの動作を止めるものである。貯水圧力タンクＴへ至る流路は分岐チーズＢを介して分岐しており、貯水圧力タンクＴから分岐チーズＢを介して分岐する水は、ポストカーボンフィルターＰ2によってろ過された後、飲料水などに用いられる。
【００１０】
逆浸透膜型浄水器ケースＸは、上記の構成のうち、貯水圧力タンクＴとポンプＰ以外の構成が収納されるものであり、本体ケース１０の開口１３を介して配管を通し、原水を流入させ、廃棄水、飲料水を流出させる。さらに、開口１３を介して配管を通して、貯水圧力タンクＴとポンプＰを内部と接続させる。セディメントフィルターＳ、プレカーボンフィルターＰ1、逆浸透膜フィルターＲ、ポストカーボンフィルターＰ2をそれぞれ内部に有する４本のカートリッジＣは、本体ケース１０背面のカートリッジホルダー１４に嵌められて固定される。これらに接続される配管はこれらのカートリッジＣに固定され、各種バルブ、タンクシャットオフスイッチＴｓなどは配管に拘束されるので、カートリッジＣ以外の構成要素は適宜逆浸透膜型浄水器ケースＸ内で保持される。これらを収納した後に、前面窓２０をレール１１、１２に嵌めて本体ケース１０の前面を閉じれば、図１に示すような状態となる。
この状態で、本実施形態に係る逆浸透膜型浄水器ケースＸでは前面窓２０からすべてのカートリッジＣと配管、各種バルブ、タンクシャットオフスイッチＴsが目視できるので、漏水等の不具合を常に目視で確認でき、使用者にとっての安心感が高い。また、透明な前面窓２０を前面に設けることでインテリア性にも優れたものとすることができる。
【符号の説明】
【００１１】
Ｘ  逆浸透膜型浄水器ケース
Ｗ  逆浸透膜型浄水器
１０  ケース本体
１１、１２  レール
１３  開口
１４  カートリッジホルダー
２０  前面窓
【図１】
0003174168.tif 000003
【図２】
0003174168.tif 000004
【図３】
0003174168.tif 000005